(57)【要約】【課題】緊急性の高いメールを音声または警告音で通知する。【解決手段】構内ＬＡＮまたはＩＳＤＮ等の交換網１１には、発信端末装置１２、メールサーバ１３、ルータ１４などが接続されている。ルータ１４には第１端末装置１５が接続されるとともに、ルータ１４の周辺にいる「人」を検知する赤外線センサ１７とブザー１８が内蔵されている。ルータ１４は、ルータ機能ブロック体と、赤外線センサ１７で検知した信号から「人」であることを判定する判定回路とを有し、「人」であると判定したなら、ブザー１８を鳴動させる。【選択図】　図１
2004038817.tif 000002
【特許請求の範囲】
【請求項１】
構内ＬＡＮまたはＩＳＤＮ等の交換網に接続された発信端末装置と、この発信端末装置からのメッセージを受けるメールサーバと、このメールサーバからの着信メッセージを受けるルータとを備え、
ルータの周辺には、メッセージ受信者がいるかを検知するセンサを設け、
センサがメッセージ受信者を検知したときには、ルータから音声または警告音を発して着信メッセージを受信者に通知し、
着信メッセージが通知できないときには、他の端末装置に着信メッセージを転送するようにメールサーバに指示するようにしたことを特徴とするネットワ−ク端末装置。
【発明の詳細な説明】
【０００１】
【発明の属する技術分野】
この発明は、着信メッセージを報知する警報機能と、不在時に着信メッセージの転送を行う転送機能を備えたＬＡＮ，ＩＳＤＮ等の交換網に設置されるネットワーク端末装置に関するものである。
【０００２】
【従来の技術】
着信メッセージ（以下メールと称す）をメールサーバより通知を受けたとき、ＬＥＤなどの表示灯を点灯させることによってルータなどの端末装置に着信メールを報知させるシステムは、現存する。しかし、警告音や警報音などの音などのアクディブな手段によってメールの着信を報知するシステムはなく、また、プロセスの故障などのように緊急性の高いメールを転送通知する機能を備えたシステムもない。
【０００３】
【発明が解決しようとする課題】
特に、プロセスの故障などのように緊急性の高いメールを、確実に通知するための通知システムは開発されていない。すなわち、上記のような緊急性の高いメールの場合は、警報音などでシステムのオペレータなどに注意を喚起し、オペレータがシステムの端末装置周辺にいないときに、メールがあったときから、一定時間経過後には、他の端末装置へ、緊急性のメールを転送する必要がある。
【０００４】
しかし、現在は、端末装置よりメールサーバにアクセスしない限り、メールの着信を認知することはできないない。
【０００５】
この発明は、上記の事情に鑑みてなされたもので、緊急性の高いメールを音声または警告音で通知するとともに、他の端末装置にも転送できるようにしたネットワーク端末装置を提供することを課題とする。
【０００６】
【課題を解決するための手段】
この発明は、上記の課題を達成するために、構内ＬＡＮまたはＩＳＤＮ等の交換網に接続された発信端末装置と、この発信端末装置からのメールを受けるメールサーバと、このメールサーバからの着信メールを受けるルータとを備え、
ルータの周辺には、メール受信者がいるかを検知するセンサを設け、
センサがメール受信者を検知したときには、ルータから音声または警告音を発して着信メールを受信者に通知し、
着信メールが通知できないときには、他の端末装置にメールを転送するようにメールサーバに指示するようにしたことを特徴とするネットワ−ク端末装置である。
【０００７】
【発明の実施の形態】
以下この発明の実施の形態を図面に基づいて説明する。図１はこの発明の実施の形態を適用した構内ＬＡＮまたはＩＳＤＮ等の交換網説明図で、図１において、１１は構内ＬＡＮまたはＩＳＤＮ等の交換網で、この交換網１１には、発信端末装置１２、メールサーバ１３、ルータ１４などが接続されている。
【０００８】
ルータ１４には第１端末装置１５が接続されるとともに、ルータ１４の周辺にいるオペレータなどの「人」を検知する赤外線センサ１７とブザー１８が内蔵されている。ルータ１４は、図２に示すように、ルータ機能ブロック体１９と、赤外線センサ１７で検知した信号から「人」であることを判定する判定回路２０とを有し、「人」であると判定したなら、ブザー１８を鳴動させる。また、交換網１１には、第２端末装置１６など図示しない複数の端末装置が接続されている。
【０００９】
上記のように構成された実施の形態において、ルータ１４には、赤外線センサ１７が内蔵されているので、ルータ１４の周辺（例えば、ルータの前面）にオペレータがいると、赤外線センサ１７でオペレータが検知される。赤外線センサ１７では、ある広がりを持った特定方向の熱強度を検出し、その時間当たりの変化量が大きい場合に、熱をもって動くもの（人間）がいると判定する。これにより、オペレータが検知される。
【００１０】
このとき、プロセスの故障などの緊急性の高いメールが着信されると、ルータ機能ブロック体１９が、一定時間上記メールの読み込みを行って、警告音または警告メッセージをブザー１８から発する。この警告音により、オペレータに、緊急性の高いメールが着信されたことを報知する。
【００１１】
前記赤外線センサ１７がオペレータなど「人」を検知していないときには、上記のようなメールが着信された場合には、一定時間メールの読み込みが行われないで、その時間経過後に他の端末装置（携帯電話など）にメールを転送するようにメールサーバ１３に指示する。
【００１２】
メールサーバ１３は、発信端末装置１２からのメールが緊急性の高いものである場合には、第１端末装置１５のルータ１４に着信情報を伝送し、ルータ１４は、着信情報に基づき上記のような処理を行う。なお、緊急性の高いメールの識別方法としては、例えば、メールアドレスによって識別する。
【００１３】
図３は、上記実施の形態の動作をフローチャートにしたもので、図３において、ステップＳ１でメールサーバがメールを受信し、メール送信者のアドレスをステップＳ２で取得する。
【００１４】
メール送信者のアドレスを取得したなら、ステップＳ３でメール送信者の警告メッセージ要であるかの名簿を検索する。検索後、登録者があるかをステップＳ４で判断し、登録者がない場合には、処理を終了し、登録者がある場合には、オペレータなど人がいるかどうかを、ステップＳ５で判断する。
【００１５】
ステップＳ５で、人がいるなら、ステップＳ６で警報を発し、いないなら、ステップＳ７でメールの読み込みが行われたかを判断する。ステップＳ７でメールの読み込みが一定時間行われなかったなら、ステップＳ８の処理を行う。
【００１６】
ステップＳ８は、他の端末装置にメールを転送するかを判断して、転送すると判断したならステップＳ９でメールサーバに指示を出す。
【００１７】
【発明の効果】
以上述べたように、この発明によれば、プロセス故障情報など緊急性の高いメールを音声または警告音で確実に関係者にいち早く通知でき、人が端末装置周辺にいない場合には、他の端末装置にメールを転送することができる。また、どの端末装置の人がメールを受け取ったが、即座に分かるので、責任が曖昧にならない利点がある。
【図面の簡単な説明】
【図１】この発明の実施の形態を適用した構内ＬＡＮまたはＩＳＤＮ等の交換網説明図。
【図２】ルータの詳細を示すブロック図。
【図３】実施の形態の動作を述べるフローチャート。
【符号の説明】
１１…交換網
１２…発信端末装置
１３…メールサーバ
１４…ルータ
１５…第１端末装置
１６…第２端末装置
１７…赤外線センサ
１８…ブザー
１９…ルータ機能ブロック体
【図１】
2004038817.tif 000003
【図２】
2004038817.tif 000004
【図３】
2004038817.tif 000005